(57)【要約】【課題】透明な材料と不透明な材料とを組合せて装飾性を高めるとともに、光の反射や屈折等の光学的効果を利用することで視覚的な驚きと遊び心を喚起させることができ、しかも家具本来の機能を何ら損なうことがない透明脚を備えた家具を提供する。【解決手段】透明な脚体２の上端面６を家具本体の上面に露出させるとともに、該脚体の下方端面に絵柄４を形成し、脚体の上端面から絵柄を透視できるようにした。家具本体が不透明な天板１であり、天板の一部に形成した貫通開口５に、脚体の上端部を密嵌するとともに、脚体の上端面６を天板の上面と面一に設定した状態で固定してテーブルを構成した。【選択図】        図１
2007135950.tif 000002
【特許請求の範囲】
【請求項１】
透明な脚体の上端面を家具本体の上面に露出させるとともに、該脚体の下方端面に絵柄を形成し、前記脚体の上端面から前記絵柄を透視できるようにしたことを特徴とする透明脚を備えた家具。
【請求項２】
前記脚体が偏平直方体の厚肉アクリル樹脂板であり、該脚体の下端面に前記絵柄をスクリーン印刷により形成し、前記絵柄を脚体の周囲面で鏡面反射させてなる請求項１記載の透明脚を備えた家具。
【請求項３】
前記家具本体が不透明な天板であり、該天板の一部に形成した貫通開口又は切欠開口に、前記脚体の上端部を密嵌するとともに、該脚体の上端面を天板の上面と面一に設定した状態で固定してなる請求項１又は２記載の透明脚を備えた家具。
【請求項４】
前記家具本体が、前面又は前後面を開放した不透明な収納ボックス体であり、該収納ボックス体の両側面板に前記脚体の上部を接合するとともに、該脚体の上端面を前記収納ボックス体の上面板の上面と面一に設定した状態で固定してなる請求項１又は２記載の透明脚を備えた家具。
【請求項５】
前記家具本体が、引出しを有する不透明な収納ボックス体であり、該収納ボックス体を単又は複数積層した状態で、該収納ボックス体の両側面板に前記脚体の上部を接合するとともに、該脚体の上端面を最上段の前記収納ボックス体の上面板の上面と面一に設定した状態で固定してなる請求項１又は２記載の透明脚を備えた家具。
【発明の詳細な説明】
【技術分野】
【０００１】
本発明は、透明脚を備えた家具に係わり、更に詳しくはテーブル、キャビネット、収納家具等の透明脚を備えた家具に関するものである。
【背景技術】
【０００２】
従来から透明な脚を備えた家具は、既に提案されている。例えば、特許文献１には、アクリル樹脂等の透明な円形容器の上周縁外側に水平方向のレール部材を周設し、該レール部材の上に半円環状より大きい弧環状の天板を回転自在に配置したテーブルが開示され、透明な円筒形の脚部の内部に金魚等の観賞魚を泳がせたり、盆栽、草花等を収容して展示する用途が提案されている。
【０００３】
また、特許文献２には、テーブルの天板及び脚部を透明な樹脂で成形するとともに、これらの内部に物品収納スペースを設けて、該スペース内にドライフラワー、ポプリ等の観賞用物品を収納し、家具の機能をそのまま保持して該家具の装飾性を高め、居住空間を美しく演出する点が開示されている。
【０００４】
しかし、特許文献１記載のテーブルは、脚部と天板が共に透明であり、しかも脚部が円形容器からなるので、特殊な用途でしか使用できず、家具としての実用性に乏しいものである。また、特許文献２記載のものは、テーブルにあっては天板や脚部の内部に収納スペースを設け、タンスにあっては引出し収容体の壁部や引出しの前板の内部に収納スペースを設けているので、装飾性を優先させるあまり家具本来の機能を犠牲にしている。
【特許文献１】実公平６−４１４７４号公報
【特許文献２】実用新案登録第３０２６２７７号公報
【発明の開示】
【発明が解決しようとする課題】
【０００５】
そこで、本発明が前述の状況に鑑み、解決しようとするところは、透明な材料と不透明な材料とを組合せて装飾性を高めるとともに、光の反射や屈折等の光学的効果を利用することで視覚的な驚きと遊び心を喚起させることができ、しかも家具本来の機能を何ら損なうことがない透明脚を備えた家具を提供する点にある。
【課題を解決するための手段】
【０００６】
本発明は、前述の課題解決のために、透明な脚体の上端面を家具本体の上面に露出させるとともに、該脚体の下方端面に絵柄を形成し、前記脚体の上端面から前記絵柄を透視できるようにした透明脚を備えた家具を構成した（請求項１）。
【０００７】
ここで、前記脚体が偏平直方体の厚肉アクリル樹脂板であり、該脚体の下端面に前記絵柄をスクリーン印刷により形成し、前記絵柄を脚体の周囲面で鏡面反射させてなることが好ましい（請求項２）。
【０００８】
具体的には、前記家具本体が不透明な天板であり、該天板の一部に形成した貫通開口又は切欠開口に、前記脚体の上端部を密嵌するとともに、該脚体の上端面を天板の上面と面一に設定した状態で固定してなる透明脚を備えた家具を構成する（請求項３）。
【０００９】
また、前記家具本体が、前面又は前後面を開放した不透明な収納ボックス体であり、該収納ボックス体の両側面板に前記脚体の上部を接合するとともに、該脚体の上端面を前記収納ボックス体の上面板の上面と面一に設定した状態で固定してなる透明脚を備えた家具を構成する（請求項４）。
【００１０】
更に、前記家具本体が、引出しを有する不透明な収納ボックス体であり、該収納ボックス体を単又は複数積層した状態で、該収納ボックス体の両側面板に前記脚体の上部を接合するとともに、該脚体の上端面を最上段の前記収納ボックス体の上面板の上面と面一に設定した状態で固定してなる透明脚を備えた家具を構成する（請求項５）。
【発明の効果】
【００１１】
以上にしてなる請求項１に係る発明の透明脚を備えた家具は、家具本体の上方から透明な脚体の上端面を覗き込むと、該脚体の下方端面に形成した絵柄が見えるので、視覚的な装飾効果を有し、前記絵柄として魚の泳いでいる姿を採用すると、あたかも水槽の中を魚が泳いでいるように見え、また家具本体を透明な脚体で支持しているので、家具から離れて見るとあたかも家具本体が床面から浮き上がったように視覚され、驚きと遊び心を喚起させることができる。また、脚体で家具本体を支持した構造であるので、家具本来の機能を何ら損なうことがないのである。
【００１２】
請求項２によれば、前記脚体が偏平直方体の厚肉アクリル樹脂板であると、家具本体に対する支持強度が高く、またアクリル樹脂は透明性に優れているので、脚体の下端面に絵柄を形成しても前記絵柄を見ることができ、また前記脚体の上端面の真上からでなくても、多少前後左右に角度を有しても脚体の周囲面での多重鏡面反射によって見ることができ、また脚体の周囲からも前記絵柄を見ることができる。そして、前記絵柄をスクリーン印刷により形成することにより、脚体の下端面にきれいな絵柄を簡単に形成することができる。
【００１３】
請求項３によれば、不透明な天板を透明な脚体で支持することにより、天板が空中に浮いているようなテーブル又はデスクを構成することができ、前記天板は不透明であるので、通常のテーブルの天板と全く同様に使用することができる。また、天板の一部に形成した貫通開口又は切欠開口に前記脚体の上端部を密嵌し、その上端面を天板の上面と面一に設定しているので、天板としての使用に何ら支障がなく、また天板の一部となった透明な脚体の上端面から絵柄が浮かび上がったように見えるのである。
【００１４】
請求項４によれば、前面又は前後面を開放した不透明な収納ボックス体の両側部を透明な脚体で支持することにより、該収納ボックス体の上面板を天板として使用でき、その下方にオープン棚を備えたテーブル又はデスクを構成することができ、そして形態特徴的には収納ボックス体が空中に浮いているように見え、更に収納ボックス体の両側面板に前記脚体の上部を接合するとともに、該脚体の上端面を前記収納ボックス体の上面板の上面と面一に設定した状態で固定しているので、天板として上面板の両側端に一体となった脚体の上端面から絵柄が浮かび上がったように見えるのである。
【００１５】
請求項５によれば、引出しを有する不透明な収納ボックス体を単又は複数積層した状態で、該収納ボックス体の両側部を透明な脚体で支持することにより、タンス若しくはキャビネットを構成することができ、そして形態特徴的には収納ボックス体が空中に浮いているように見え、更に収納ボックス体の両側面板に前記脚体の上部を接合するとともに、該脚体の上端面を最上段の前記収納ボックス体の上面板の上面と面一に設定した状態で固定しているので、脚体の上端面から絵柄が浮かび上がったように見えるのである。
【発明を実施するための最良の形態】
【００１６】
次に、添付図面に示した実施形態に基づき、本発明を更に詳細に説明する。先ず、本発明の透明脚を備えた家具は、透明な脚体の上端面を家具本体の上面に露出させるとともに、該脚体の下方端面に絵柄を形成し、前記脚体の上端面から前記絵柄を透視できるようにしたものであり、図示した実施例に限定されず、広く脚部を有する家具一般に適用することができ、家具本体として多様な選択性を有する。図１〜図７は、本発明の透明脚を備えた家具の第１実施形態であるテーブルＡを示し、図中符号１は天板、２は脚体、３は棚板、４は絵柄を示している。
【００１７】
本実施形態のテーブルＡは、前記家具本体が不透明な天板１であり、該天板１の一部に形成した貫通開口５に、前記脚体２の上端部を密嵌するとともに、該脚体２の上端面６を天板１の上面と面一に設定した状態で固定したものである。ここで、前記脚体２は、偏平直方体の厚肉アクリル樹脂板で形成しているが、透明性の高い材料であれば採用することができ、当然ガラスでも良い。また、本実施形態では、前記脚体２の形状は、偏平直方体としているが、直方体に限定されず、光学的な効果に変化を与えるために、傾斜カット面等を形成した多面体又は円柱形、楕円形断面を有するものでも可能である。ここで、脚体２の周囲面が曲面であると、前記絵柄４の反射像は歪んで見える。
【００１８】
そして、前記脚体２の下端面に前記絵柄４をスクリーン印刷により直接形成している。ここで、前記脚体２の下端は、床面に接して擦れたり、汚れたりするので、下面に保護板７を接着して、前記絵柄４を保護することが好ましい。また、前記絵柄４は、スクリーン印刷の他に、印刷を施した転写シートを用いて絵柄４を脚体２の下端面に転写したり、又は印刷を施した絵柄シートを脚体２の下端面に接着しても良い。また、前記絵柄４の保護には、図６に示すように、脚体２の下端面の前後部に接地部８，８を突設しても良い。
【００１９】
更に詳しくは、前記天板１は、不透明な材質の板体であり、両側部の前後中間部に奥行方向に延びたスリット状の貫通開口５，５を形成するとともに、該貫通開口５に沿った天板１の下面に角材からなる固定部材９を固着している。そして、前記天板１の貫通開口５に前記脚体２の上端部を密嵌するとともに、前記固定部材９に該脚体２を貫通させたボルト１０で締結する。また、本実施形態では、前天板１の下方に所定間隔を置いて棚板３を両脚体２，２間に渡設している。それには、前記棚板３の両側端下面に角材からなる受部材１１を固着し、該受部材１１を前記脚体２の内側面に当接し、前記脚体２を貫通したボルト１２で締結する。このように、前記天板１と脚体２，２、更には棚板３を組立式にすることで、嵩張らないので保管や搬送が容易になる。
【００２０】
このように構成したテーブルＡは、脚体２が透明であるので、不透明の天板１や棚板３が空中に浮いているように視覚される。そして、前記天板１から上面に臨んだ脚体２の上端面６から覗き込むと、該脚体２の下端面に形成した絵柄４が透視できるのである。尚、前記脚体２の真上からではなく、斜め上方から覗き込んでも、該脚体２の上端面６による光の屈折や、脚体２の周囲面、特に前後面による光の反射によって絵柄４を見ることができる。当然、前記脚体２の周囲からも絵柄４を透視することができる。
【００２１】
このように、本発明は、前記脚体２の下端面に形成した絵柄４を、その上端面６から透視するように構成するものであるから、前記ボルト１０、１２と、その貫通穴の存在は、視覚的な装飾性に悪影響を及ぼすので、無くすことが好ましい。それには、前記固定部材９を脚体２と同じ樹脂材料で形成し、該固定部材９を脚体２の内側面に溶着又は接着する。また、前記固定部材９を天板１の下面に溶着又は接着する。この場合、前記天板１も脚体２と同種の樹脂材料で構成することが好ましい。同様に、前記脚体２の内側面に前記受部材１１を溶着又は接着するとともに、前記棚板３の両端部を該受部材１１に溶着又は接着する。
【００２２】
本実施形態では、前記絵柄４を脚体２の下端面に形成したが、透明な脚体２を上下に分割し、その接合面に絵柄を形成することも可能である。
【００２３】
次に、前記テーブルＡの変形例として、図８に第２実施形態のテーブルＢを示す。このテーブルＢは、前記家具本体が不透明な天板１であり、該天板１の一部に形成した切欠開口１３に、前記脚体２の上端部を密嵌するとともに、該脚体２の上端面６を天板１の上面と面一に設定した状態で固定したものである。更に詳しくは、前記天板１の左右一側寄り位置に、後端から前部にかけてスリット状の切欠開口１３を形成するとともに、左右他側寄り位置に、前端から後部にかけてスリット状の切欠開口１３を形成し、該切欠開口１３に脚体２の上端部を密嵌するとともに、前記同様に固定部材９で天板１と脚体２を強固に連結している。その他の構成は、前記同様であるので，同一構成には同一符号を付してその説明は省略する。
【００２４】
次に、図９及び図１０に基づいて、第３実施形態の高さの低いテーブルＣを説明する。このテーブルＣは、前記家具本体が、前面又は前後面を開放した不透明な収納ボックス体１４であり、該収納ボックス体１４の両側面板１５，１５に前記脚体２，２の上部を接合するとともに、該脚体２の上端面６を前記収納ボックス体１４の上面板１６の上面と面一に設定した状態で固定したものである。
【００２５】
更に詳しくは、前記収納ボックス体１４は、前後面が開放した扁平箱型のものであり、上面板１６と下面板１７の両端間に側面板１５，１５を固定するとともに、中央部に仕切板１８を固定した構造のものである。そして、前記脚体２は、前述のテーブルＡ，Ｂの脚体２の高さよりも低く設定し、前記収納ボックス体１４の側面板１５に上部を接合し、直接該脚体２を貫通したボルト１９で締結している。その他の脚体２の構成は、前記同様であるので、同一構成には同一符号を付してその説明は省略する。
【００２６】
最後に、図１１に基づいて、第４実施形態のタンスＤを説明する。このタンスＤは、前記家具本体が、引出し２１を有する不透明な収納ボックス体２０であり、該収納ボックス体２０を単又は複数積層した状態で、該収納ボックス体２０の両側面板２２に前記脚体２の上部を接合するとともに、該脚体２の上端面６を最上段の前記収納ボックス体２０の上面板２３の上面と面一に設定した状態で固定したものである。
【００２７】
更に詳しくは、前記収納ボックス体２０は、前面が開放した扁平箱型の本体に、引出し２１を前後スライド可能に設け、引出し２１には取手２４を設けたものである。このユニット化した収納ボックス体２０を単又は複数積層し、各収納ボックス体２０，…の側面板２２に前記脚体２の上部を接合し、直接該脚体２を貫通したボルト２５で締結している。その他の脚体２の構成は、前記同様であるので、同一構成には同一符号を付してその説明は省略する。
【００２８】
このように、本発明では、脚体２が透明材料で構成しているので、離れて見れば脚体２の存在感は全くなく、あたかも天板１、収納ボックス体１４及び２０等の家具本体が空中に浮いたように見える。その反面、近くに寄って脚体２の上端面６から覗き込むと、絵柄４が透視され、例えばこの絵柄４を魚が泳いでいる絵にすることで、内部で魚が泳いでいるように見えるので、脚体２があたかも水槽のようになり、視覚的な装飾性に優れている。
【図面の簡単な説明】
【００２９】
【図１】第１実施形態のテーブルの全体斜視図である。
【図２】同じくテーブルの平面図である。
【図３】同じくテーブルの正面図である。
【図４】同じくテーブルの側面図である。
【図５】同じく天板と脚体の連結部の拡大断面図である。
【図６】脚体の他の例を示す部分側面図である。
【図７】下端面に絵柄を形成した脚体の拡大底面図である。
【図８】第２実施形態のテーブルの全体斜視図である。
【図９】第３実施形態の高さの低いテーブルの全体斜視図である。
【図１０】同じく収納ボックス体と脚体の連結部の拡大断面図である。
【図１１】第４実施形態のタンスの全体斜視図である。
【符号の説明】
【００３０】
１  天板
２  脚体
３  棚板
４  絵柄
５  貫通開口
６  上端面
７  保護板
８  接地部
９  固定部材
１０  ボルト
１１  受部材
１２  ボルト
１３  切欠開口
１４  収納ボックス体
１５  側面板
１６  上面板
１７下面板
１８  仕切板
１９  ボルト
２０  収納ボックス体
２２  側面板
２３  上面板
２４  取手
２５  ボルト
Ａ  テーブル
Ｂ  テーブル
Ｃ  テーブル
Ｄ  タンス
【図１】
2007135950.tif 000003
【図２】
2007135950.tif 000004
【図３】
2007135950.tif 000005
【図４】
2007135950.tif 000006
【図５】
2007135950.tif 000007
【図６】
2007135950.tif 000008
【図７】
2007135950.tif 000009
【図８】
2007135950.tif 000010
【図９】
2007135950.tif 000011
【図１０】
2007135950.tif 000012
【図１１】
2007135950.tif 000013